(57)【特許請求の範囲】
【請求項１】
乳幼児を収容する空間の周囲を取り囲むように形成され、前記乳幼児収容空間の外周に間隔をおいて配置されて上下方向に延びる複数の柱材、および隣り合う前記柱材に架設されて水平方向に延びる複数の横材を有し、前記横材のうちの少なくとも一部が中程で折れ変形することにより折り畳み可能なフレーム構造体と、
前記中程で折れ変形可能な横材の両端部を、隣り合う前記柱材に、上側位置および下側位置に変位可能に連結する１対の連結部材と、
上下方向に延び、前記１対の連結部材に設けられる１対のパイプと、
前記横材に吊り下げられて、上側領域の両縁が前記１対のパイプに取り付けられ、下側領域の両縁が前記隣り合う１対の柱材に取り付けられる布状部材と、
前記中程で折れ変形可能な横材の端部を前記上側位置に保持する留め具とを備える、プレイヤード
【請求項２】
前記乳幼児収容空間は、平面視において長方形を構成し、
前記連結部材は、平面視において前記長方形の長辺の両端に配置された２本の柱材にそれぞれ設けられる、請求項１に記載のプレイヤード。
【請求項３】
前記連結部材は、柱材が挿通される貫通孔が形成され柱材に沿って摺動するスライド部材を含み、
前記留め具は、前記スライド部材に設けられて、オン状態で前記貫通孔に挿通される柱材に対するスライド部材の摺動を規制し、オフ状態で前記貫通孔に挿通される柱材に対するスライド部材の摺動を許容する、請求項１または２に記載のプレイヤード。
【請求項４】
前記フレーム構造体の下部または上下方向中間部に選択可能に取り付けられて前記乳幼児収容空間の底面を構成する敷板をさらに備え、
前記スライド部材は、前記フレーム構造体の上部または上下方向中間部に選択可能に固定される、請求項３に記載のプレイヤード。
【請求項５】
両端部が前記１対のスライド部材と連結する前記中程で折れ変形可能な横材は、一方端部が一方の前記スライド部材と回動可能に連結する一方棒部材と、一方端部が他方の前記スライド部材と回動可能に連結する他方棒部材と、前記一方棒部材の他方端部および前記他方棒部材の他方端部と回動可能に連結する中央連結部材と、一方棒部材と前記中央連結部材を回動不能にする一方ロック機構と、前記他方棒部材と前記中央連結部材を回動不能にする他方ロック機構と、これら双方のロック機構を同時に解除して双方のロック解除を保持するロック動作機構を有する、請求項３または４に記載のプレイヤード。
【発明の詳細な説明】
【技術分野】
【０００１】
本発明は、プレイヤード（プレイペン）に関するものであって、特に横材が上下に変位可能なプレイヤードに関する。
【背景技術】
【０００２】
従来、乳幼児が遊ぶ保護空間を提供するものとして、プレイヤード（プレイペン）が周知である。プレイヤードは、乳幼児が遊ぶ領域を区画する枠組であり、一般的に骨組構造体と、この骨組構造体を包囲する縫製布を備える。このようなものとして例えば特開２００８−１５４７５２（特許文献１）のプレイヤードは、４本の縦枠（柱）と、これら縦枠の上部に配置された４本の上横枠と、これら縦枠の下部に配置された４本の下横枠と、これら下横枠の上に載置された底板と、４本の縦枠の四方に張り渡されたフレームカバーとを有し、四方の側面および底面が閉鎖される。このことにより、プレイヤードの内部に収容された乳幼児が不用意に外部に出ることがないというものである。
【先行技術文献】
【特許文献】
【０００３】
【特許文献１】特開２００８−１５４７５２号公報
【発明の概要】
【発明が解決しようとする課題】
【０００４】
しかし、特許文献１のプレイヤードにあっては、以下に説明するような問題を生ずる。つまり展開された使用状態において水平に延びる上横枠の両端が、隣り合う２本の立て枠の上端に取付固定されていることから、乳幼児がプレイヤード内に出入りする際、乳幼児の保護者が乳幼児を上横枠よりも高く持ち上げて越えさせる必要がある。このため保護者にとって乳幼児をプレイヤードに出し入れする作業が負担になっていた。また、プレイヤード内の乳幼児の世話をする際、保護者は乳幼児の頭上からしか手を差し出すしかなく、改善の余地があった。
【０００５】
本発明は、上述の実情に鑑み、かかる保護者の負担を軽減するとともに、プレイヤード内の乳幼児の世話を容易にすることができるプレイヤードを提供することを目的とする。
【課題を解決するための手段】
【０００６】
この目的のため本発明によるプレイヤードは、乳幼児を収容する空間の周囲を取り囲むように形成され、乳幼児収容空間の外周に間隔をおいて配置されて上下方向に延びる複数の柱材、および隣り合う柱材に架設されて水平方向に延びる複数の横材を有し、横材のうちの少なくとも一部が中程で折れ変形することにより折り畳み可能なフレーム構造体と、中程で折れ変形可能な横材の両端部を、隣り合う柱材に、上側位置および下側位置に変位可能に連結する１対の連結部材と、上下方向に延びて１対の連結部材に設けられる１対のパイプと、横材に吊り下げられて上側領域の両縁が１対のパイプに取り付けられ下側領域の両縁が隣り合う１対の柱材に取り付けられる布状部材と、中程で折れ変形可能な横材の端部を上側位置に保持する留め具とを備える。なお中程で折れ変形可能とは、横材の長手方向中央部を含み、長手方向両端部を除いた長手方向途中の箇所で、折れ変形可能であると理解されたい。
【０００７】
かかる本発明によれば、中程で折れ変形可能な横材の両端部を、隣り合う２本の柱材に、上側位置および下側位置に変位可能に連結する１対の連結部材を備えることから、横材の高さ位置が変更可能であり、連結部材を介して横材の高さ位置を下げておくことが可能になる。したがって保護者は、高さ位置が下げられた横材を越えて乳幼児をプレイヤードに容易に出し入れすることができる。またプレイヤード内の乳幼児の世話をする際、保護者は乳幼児と同じ目線から手を差し出すことが可能となり、より良い育児関係が実現する。そしてプレイヤードの使用中に横材を上側位置へ移動させておけば、横材が布状部材とともにフレーム構造体の四方を包囲して、乳幼児をプレイヤード内に収容しておくことができる。
【０００８】
本発明は一実施形態に限定されるものではなく、全ての横材の高さ位置が変更可能であってもよいし、一部の横材の高さ位置が変更可能であってもよい。また乳幼児収容空間の形状は、平面視において正五角形や正六角形などの正多角形であってもよい。また乳幼児収容空間は、平面視において偶数個の角部を有する等角多角形を構成してもよい。柱材は、これら多角形の角部にそれぞれ配置される。また乳幼児収容空間は、平面視において正方形や長方形などの矩形であってもよい。乳幼児収容空間が平面視において長方形を構成するプレイヤードにおいて、長方形の長辺を構成する横材は前枠と称され、保護者はこの前枠を越えて乳幼児を出し入れする。そこで好ましい実施形態として、乳幼児収容空間は、平面視において長方形を構成し、連結部材は、平面視において長方形の長辺の両端に配置された２本の柱材にそれぞれ設けられる。かかる実施形態によれば、長方形の長辺、すなわち前枠の高さ位置を下げることが可能になる。したがって、乳幼児は前枠を容易に越えてプレイヤードに出入りすることができ、保護者は前枠を容易に越えてプレイヤード内の乳幼児の世話をすることができるようになり、機能が向上する。
【０００９】
連結部材の構造は柱材と中程で折れ変形可能な横材の両端部とを連結するものであれば特に限定されず、例えば柱材の上端部および下端部に、横材の端部を受け入れる穴をそれぞれ設けておき、かかる受け入れ穴に横材の端部を着脱可能に差し込むものであってもよい。また例えば上下方向に延びるレールを柱材に設けておき、横材の端部をレールに脱落しないよう案内させるものであってもよい。また例えば柱材の上端部に設けられ、入れ子式で上方へ繰り出し可能な複数のパイプであってもよい。また例えば柱材の途中に腕の基部を連結し、腕の先端部に横材の端部を連結し、腕を回動させることにより横材の高さ位置を変更するものであってもよい。
【００１０】
留め具は、例えば横材の端部に摩擦部材をそれぞれ設けておき、摩擦により横材の端部を柱材上端部に固定するものであってよい。また例えば爪部および凹部の組み合わせといった係合部材および被係合部材を、横材の端部と柱材上端部に設けておき、係合作用により横材の端部を柱材上端部に固定するものであってよい。そして所定荷重以上の力を横材の端部に加えて係合を解除して横材を取り外しあるいは押し下げたり、横材の端部をレールに沿って柱材上端部まで引き上げて自動的に係合する構成であってもよい。また例えば入れ子式のパイプ同士を、上方へ最も延伸させた状態で摩擦ないし係合により固定するものであってもよい。
【００１１】
好ましい実施形態として、連結部材は、柱材が挿通される貫通孔が形成され柱材に沿って摺動するスライド部材を含み、留め具は、スライド部材に設けられて、オン状態で貫通孔に挿通される柱材に対するスライド部材の摺動を規制し、オフ状態で貫通孔に挿通される柱材に対するスライド部材の摺動を許容する。かかる実施形態によれば、留め具がオン状態でスライド部材の摺動を規制することから、所望の高さ位置でスライド部材を柱材に固定することが可能となる。したがって、中程で折れ変形可能な横材を所望の高さ位置に保持することができ、機能が向上する。また保護者が留め具を操作しない限り、スライド部材が確りと柱材上端部に固定される、したがって、プレイヤードの使用中に中程で折れ変形可能な横材が不用意に下がる虞がない。
【００１２】
フレーム構造体の下部に取り付けられて乳幼児を支持する敷板（底板ともいう）を備えるプレイヤードにおいて、従来の敷板は常にプレイヤードの下部に位置し、その高さが調整されることはない。これに対し本発明の好ましい実施形態では、フレーム構造体の下部または上下方向中間部に選択可能に取り付けられて乳幼児収容空間の底面を構成する敷板をさらに備え、スライド部材は、フレーム構造体の上部または上下方向中間部に選択可能に固定される。かかる実施形態によれば、敷板をフレーム構造体の上下方向中間部に取り付け、敷板の上に乳幼児を寝かせることにより、プレイヤードを乳幼児を寝かせる寝台としても利用することができ、機能が向上する。そして、スライド部材をフレーム構造体の上下方向中間部まで押し下げることにより、保護者は容易に就寝中の乳幼児の世話をすることが可能になる。
【００１３】
展開されたプレイヤードの使用状態において水平方向に延びる横材は折れ変形可能であって、横材を折れ変形させることによりフレーム構造体は折り畳み可能である。好ましい実施形態として、両端部が１対のスライド部材と連結する中程で折れ変形可能な横材は、一方端部が一方のスライド部材と回動可能に連結する一方棒部材と、一方端部が他方のスライド部材と回動可能に連結する他方棒部材と、一方棒部材の他方端部および他方棒部材の他方端部と回動可能に連結する中央連結部材と、一方棒部材と中央連結部材を回動不能にする一方ロック機構と、他方棒部材と中央連結部材を回動不能にする他方ロック機構と、これら双方のロック機構を同時に解除して双方のロック解除を保持するロック動作機構を有する。
【００１４】
かかる実施形態によれば、上側位置および下側位置に変位可能にされた中程で折れ変形可能な横材が双方のロック機構を同時に解除して双方のロック解除を保持するロック動作機構を有することから、乳幼児の保護者がロック動作機構を解除操作すると、一方側ロック機構も他方側ロック機構も確実にロック解除される。これにより、プレイヤードの折り畳み操作を容易に行うことができる。
【発明の効果】
【００１５】
このように本発明は、中程で折れ変形可能な横材の高さ位置が変更可能であり、通常は中程で折れ変形可能な横材を上側位置にしておけば、中程で折れ変形可能な横材が十分な高さ位置にされ、プレイヤード内の乳幼児が外部へ出ることがないよう収容することができる。しかも本発明は、中程で折れ変形可能な横材を上側位置に保持する留め具を備えることから、プレイヤードの使用中に中程で折れ変形可能な横材を柱材の上端部に保持させておくことが可能になり、中程で折れ変形可能な横材を柱材上端部と同じ高さ位置に保持して布状部材とともにフレーム構造体の四方を包囲して、乳幼児をプレイヤード内に収容しておくことができる。
【００１６】
そして中程で折れ変形可能な横材を下側位置にしておけば、中程で折れ変形可能な横材を通常の位置よりも下げておくことが可能になる。したがって保護者は、低い位置にされた中程で折れ変形可能な横材を越えて乳幼児をプレイヤードに容易に出し入れすることができる。またプレイヤード内の乳幼児の世話をする際、保護者は中程で折れ変形可能な横材の下方に移動させて乳幼児と同じ目線から手を差し出すことが可能となり、より良い育児関係が実現する。
【図面の簡単な説明】
【００１７】
【図１】本発明の一実施例になるプレイヤードを示す平面図である。
【図２】同実施例のプレイヤードを示す正面図である。
【図３】同実施例のプレイヤードを示す正面図である。
【図４】同実施例のプレイヤードを示す正面図である。
【図５】スライド部材を拡大して示す正面図である。
【図６】スライド部材を拡大して示す正面図である
【図７】同実施例のプレイヤードを示す下面図である。
【図８】同実施例のプレイヤードの折り畳み状態を示す正面図である。
【図９】同実施例のプレイヤードの折り畳み状態を示す側面図である。
【図１０】同実施例のプレイヤードの折り畳み状態を示す下面図である。
【図１１】同実施例の敷板および壁板を取り出して示す分解斜視図である。
【図１２】ロックされた横材の中央部を取り出して示す平面図である。
【図１３】ロックされた横材の中央部を取り出して示す正面図である。
【図１４】図１２のＸＩＶ−ＸＩＶにおける断面を示す説明図である。
【図１５】図１２のＸＶ−ＸＶにおける断面を示す説明図である。
【図１６】中央連結部材を取り出して示す正面図である。
【図１７】ロック解除された横材の中央部を取り出して示す平面図である。
【図１８】ロック解除された横材の中央部を取り出して示す正面図である。
【図１９】図１７のＸＩＸ−ＸＩＸにおける断面を示す説明図である。
【発明を実施するための形態】
【００１８】
以下、本発明の実施の形態を、図面に示す実施例に基づき詳細に説明する。
【００１９】
図１〜図４は、本発明の一実施例になるプレイヤードの全体概略を示し、プレイヤードが展開された使用状態を示す。図５および図６は、スライド部材を拡大して示す正面図である。図７は、プレイヤードの全体概略を示す下面図である。図８〜図１０はプレイヤードの折り畳み状態を示す。プレイヤード１０は、プレイヤード１０の骨格を構成するフレーム構造体１１と、フレーム構造体１１に取り付けられてフレーム構造体１１の外周を包囲する布状部材１２と、フレーム構造体１１に着脱可能に取り付けられた棒部材１３と、棒部材１３に支持される敷板４１とを備える。
【００２０】
本実施例のプレイヤード１０は、平面視略長方形であるため、便宜上、１対の長辺部分をプレイヤード一方側、プレイヤード他方側、プレイヤード左側、プレイヤード右側、プレイヤード側部、プレイヤード両側部、もしくはプレイヤード左右側部と称する。また１対の短辺部分をプレイヤード一端部、プレイヤード他端部、プレイヤード前端部、プレイヤード後端部、プレイヤード端部、プレイヤード両端部、もしくはプレイヤード前後端部と称する。プレイヤード１０は、乳幼児を遊ばせる枠囲いとして使用できるほか、後述するように乳幼児を寝かせる寝台としても好適に使用可能である。
【００２１】
まずフレーム構造体１１につき説明すると、フレーム構造体１１は上下方向に延びる４本の柱材１４と、プレイヤード両側部に設けられた１対の横材１５Ｌ，１５Ｒと、プレイヤード両端部に設けられた１対の横材１６，１６と、平面視において対角線となるよう配置されたクロスパイプ１７とを含む。
【００２２】
柱材１４は平面視において四隅の角部で直立するよう配置される。プレイヤード一端部に配置された２本の柱材１４，１４間には、横材１６が架設される。同様に、プレイヤード他端部に配置された２本の柱材１４，１４間にも、横材１６が架設される。同様に、プレイヤード一方側に配置された２本の柱材１４，１４間には、横材１５Ｒが架設される。具体的には、横材１６，１５Ｒの端部は柱材１４の上端部ブロック１４Ｂと回動可能に連結し、プレイヤードの折り畳み時には、横材１６,１５Ｒが柱材１４に近づくよう回動可能である。また横材１６は、中央部に設けられた中央連結部材２０と、中央連結部材２０から長手方向一方へ延びるパイプ１６１と、中央連結部材２０から長手方向他方へ延びるパイプ１６２とで構成される。パイプ１６１およびパイプ１６２は同じ長さである。
【００２３】
また横材１５Ｒは、中央部に設けられた中央連結部材２０と、中央連結部材２０から長手方向一方へ延びるパイプ１５１と、中央連結部材２０から長手方向他方へ延びるパイプ１５２とで構成される。パイプ１５１およびパイプ１５２は同じ長さであり、パイプ１６１，１６２よりも長い。
【００２４】
プレイヤードの使用状態において、中央連結部材２０は中央連結部材２０から長手方向一方へ延びるパイプ１６１および長手方向他方へ延びるパイプ１６２をロックし、横材１６は図３に示すように一直線に保持される。しかし中央連結部材２０のロックを解除すると横材１６が中央部で折れ変形可能にされる。したがってプレイヤード１０を折り畳むと、後述する図９に示すように中央連結部材２０からパイプ１６１，１６２が上方へ延び、横材１６はＶ字形状にされる。横材１５Ｒも同様に中央連結部材２０が設けられ、プレイヤードの使用状態では一直線にされ、プレイヤードの折り畳み状態では中央部で折れ変形する。そして中央連結部材２０からパイプ１５１，１５２が上方へ延び、横材１５ＲはＶ字形状にされる。
【００２５】
なお、複数本の横材のうち横材１５Ｌのみ、プレイヤード右側２箇所のスライド部材１８を介して、柱材１４に回動可能かつ摺動可能に連結される。具体的には、スライド部材１８に上下方向に延びる貫通孔７２が形成されて、この貫通孔７２に柱材１４が貫通し、１対のスライド部材１８は柱材１４に沿って摺動可能である。通常、スライド部材１８は後述する留め具１９で摺動不能にされており、スライド部材１８がプレイヤード右側に配置された１対の柱材１４の上端部にそれぞれ固定保持される。またスライド部材１８は横材１５Ｌの端部と連結軸７１で回動可能に連結し、プレイヤード１０の折り畳み時には横材１５Ｌが柱材１４に近づくよう回動可能である。なお、横材１５Ｌの長手方向一方のパイプ１５１は横材１５Ｒの長手方向一方のパイプ１５１よりもスライド部材１８の寸法分短くされる。同様に横材１５Ｌの長手方向他方のパイプ１５２は横材１５Ｒの長手方向他方のパイプ１５２よりもスライド部材１８の寸法分短くされる。
【００２６】
スライド部材１８の上部は、連結軸７１を越えて中央連結部材２０側へ延びる庇形状の受け部７７が形成される。受け部７７は図５および図６に示すようにパイプ１５１を受け止めることから、連結軸７１回りにパイプ１５１がスライド部材１８よりも上方に回動することはない。しかしパイプ１５１は連結軸７１回りにスライド部材１８よりも下方に回動可能である。なおパイプ１５２も同様にスライド部材１８に回動連結される。同様に横材１５Ｒのパイプ１５１、１５２と、横材１６のパイプ１６１，１６２も、上端部ブロック１４Ｂに回動連結される。
【００２７】
横材１５Ｌはプレイヤードの使用状態において図２〜図４に示すように一直線に延びている。しかしプレイヤードの折り畳み状態では中央部で折れ変形する。そして図８に示すように、中央連結部材２０からパイプ１５１，１５２が上方へ延び、横材１５ＬはＶ字形状にされる。
【００２８】
スライド部材１８のうち、連結軸７１と貫通孔７２との間には貫通孔７２と平行に延びる直線状のパイプ７３が取り付け固定される。パイプ７３の上端は連結軸７１と略同じ位置とされ、パイプ７３の長さは、柱材１４の約半分である。パイプ７３には、パイプ７３と直交する留め具１９が設けられる。留め具１９は、パイプ７３に穿設されて横断方向に延びる貫通孔７３ｈを貫通し、両端が貫通孔７３ｈから突出する軸部７４と、軸部７４の先端に固定された鍔付帽子形状の先端部７５と、軸部７４の外周を覆うよう螺旋状に延びるとともに先端部７５の鍔部とパイプ７３の外周面との間に縮設されたリターンスプリング７６と、軸部７４の後端に固定された把持部７７とを有する。
【００２９】
軸部７４はリターンスプリング７６によって柱材１４側へ付勢され、先端部７５は柱材１４に当接する。リターンスプリング７６の付勢力よりも大きな力で把持部７７を引っ張ることにより、先端部７５は柱材１４から離れる。なお把持部７７および先端部７５の寸法が貫通孔７３ｈの内径よりもよりも大きいことから、軸部７４が貫通孔７３ｈから抜け落ちることはない。
【００３０】
スライド部材１８が柱材１４の上端部に位置する場合、留め具１９の先端部７５は柱材１４に形成された穴１４ｈに入り込んで係合する。かかるオン状態で、スライド部材１８は摺動不能にされ、柱材１４に沿って摺動することができない。
【００３１】
乳幼児の保護者が、リターンスプリング７６の付勢力に抗して留め具１９を引っ張ると、先端部７５が穴１４ｈから抜け出し、係合が解除される。かかるオフ状態でスライド部材１８は摺動不能にされ、柱材１４に沿って摺動することができない。各スライド部材１８，１８の留め具１９をそれぞれ引っ張り１対のスライド部材１８を摺動可能とすると、図６に矢で示すように横材１５Ｌは１対のスライド部材１８とともに下方へ移動する。そして図４に示すように、上下方向中間部の位置にされる。これにより、横材１５Ｌを越えてプレイヤード１０への乳幼児の出し入れが容易になる。また、保護者は横材１５Ｌを越えてプレイヤード１０内の乳幼児に簡単に手をのばすことができる。なお保護者からみて横材１５Ｌは４本の横材のうち最も近い位置にあることから、前枠とも称する。
【００３２】
横材１５Ｌは、図４に示すように、フレーム構造体１１の上下方向中間部に取り付けられた壁板５３の上端縁と略同じ高さ位置まで下降可能である。壁板５３の下端縁は敷板４１と連結する。フレーム構造体１１の上下方向中間部に取り付けられた敷板４１は乳幼児を寝かせる寝台として利用される。このようにスライド部材１８および横材１８Ｌをフレーム構造体１１の上下方向中間部まで押し下げることにより、保護者は容易に就寝中の乳幼児の世話をすることが可能になる。
【００３３】
クロスパイプ１７は、Ｘ字形状であって、図７に示すように長方形のプレイヤード１０下面で、対角線状に配置される。クロスパイプ１７は、具体的に、Ｘ字の中央に配置された中央連結部材２３と、中央連結部材２３および各柱材１４と連結する４本のパイプ１７１〜１７４で構成される。パイプ１７１〜１７４の一方端は柱材１４とそれぞれ回動可能に連結する。またパイプ１７１〜１７４の他方端は中央連結部材２３とそれぞれ回動可能に連結する。中央連結部材２３は、４本のパイプ１７１〜１７４が中央連結部材２３の下方へ向かうよう回動することを許容するが、中央連結部材２３の上方へ向かうよう回動することを規制する。プレイヤードの使用状態においてクロスパイプ１７はＸ字に展開された状態を保持することができる。また図８〜図１０に示すように、プレイヤードの折り畳み状態において、４本のパイプ１７１〜１７４は中央連結部材２３の下方に集約され、クロスパイプ１７は小さく折り畳まれる。
【００３４】
プレイヤード他端に配置された２本の柱材１４，１４の下端には、車輪２１と、車輪２１の外周を包囲する車輪カバー２２が設けられる。車輪２１は車輪カバー２２の下端から突出してプレイヤード設置床面Ｓに接地する。また図２を参照して、車輪カバー２２のうちプレイヤード内側の一部２２ｓは、車輪カバー２２のうちプレイヤード外側の一部よりもさらに下方へ突出してプレイヤード設置床面Ｓに接地する。このため、プレイヤード設置床面Ｓにすべての柱材１４を接地させる通常の使用状態においては、車輪２１がプレイヤード設置床面Ｓで転動することが阻止される。
【００３５】
しかしながらプレイヤード１０を使用しないときなど、図２の紙面左側に示されるプレイヤード１０の一端部Ａを持ち上げると、車輪カバー突出部２２ｓが設置床面Ｓから離れるとともに車輪２１が設置床面Ｓに接地する。このため、展開された状態および折り畳み状態のプレイヤード１０を傾け、プレイヤード一端部の柱材１４を床面Ｓから離し、プレイヤード他端部の柱材１４下端の車輪２１のみを接地させることによって容易にプレイヤード１０を運搬することができる。
【００３６】
これまで説明したように、横材１５Ｌ，１５Ｒ,１６は中央部でそれぞれ折れ変形可能であり、クロスパイプ１７は中央部で折れ変形可能であり、横材１５Ｌ，１５Ｒ,１６およびクロスパイプ１７の端部は柱材１４と回動可能に連結することから、フレーム構造体１１は、図１〜図４に示す展開された使用状態と、図８〜図１０に示す折り畳み状態の２形態に変形することができる。
【００３７】
次に布状部材１２につき説明すると、布状部材１２は数ｍｍ程度の網目のネットや、布地などの素材で形成され、４本の柱部材１４の間の４面にそれぞれ張設される。そして布状部材１２の上端は横材１５Ｌ，１５Ｒ，１６に吊り下げられる。また布状部材１２の下端はクロスパイプ１７と略同じ高さ位置にある。これにより布状部材１２、クロスパイプ１７よりも上方に設けられる敷板４１を確実に囲繞する。
【００３８】
ここで付言すると、横材１５Ｌに吊り下げられる布状部材１２のうち、上側領域の両縁は一対のパイプ７３，７３に取り付けられ、下側領域の両縁は一対の柱材１４，１４に取り付けられる。これにより、横材１５Ｌを柱材１４の上端部から押し下げると、布状部材１２も横材１５Ｌとともに下方へ移動する。
【００３９】
次に棒部材１３につき説明すると、棒部材１３は、プレイヤード両側部において直線状に延びる１対の棒状体であって、水平な姿勢にされて、両端が柱材１４に取り付けられる。棒部材１３は、図２に示すように、柱材１４の下端部に取り付けることができる。また棒部材１３は、図３に示すように、柱材１４の中央部に取り付けることができる。このように棒部材１３は柱材１４の下端部および中央部に選択的に取り付けることができる。
【００４０】
すなわち図２および図３を参照して、各柱材１４には高さ位置の異なる２個のブラケット３１,３２が取付固定される。ブラケット３１は柱材の下端領域にあってクロスパイプ１７よりもやや上方に固定される。ブラケット３２は、柱材１４の中央部に固定される。ブラケット３１，３２は棒部材１３の端部を支持する。硬質の棒部材１３は乳幼児の荷重に加え乳幼児が活発に動く際の衝撃荷重にも耐え得るよう十分な曲げ強度およびせん断強度を有するパイプであり、両端部を除く中央領域が敷板４１下面に沿って延び、両端部がブラケット３１またはブラケット３２に取り付けられる。これにより棒部材１３は、敷板４１上面に乗せられる乳幼児を安定して支持する。そして乳幼児が敷板の上で活発に活動しても、横材１５Ｌ，１５Ｒ，１６が折れ変形することを防止することができる。
【００４１】
次に敷板４１につき説明する。本実施例の敷板４１は、平面視長方形であるため、便宜上、１対の長辺部分を一方側縁、他方側縁、あるいは両側縁と称する。また１対の短辺部分を一端部、他端部、あるいは両端部と称する。
【００４２】
図７に示すように、敷板４１は両端開口の細長い筒状部材４２を有する。筒状部材４２は布製であって、両側縁において敷板４１の下面に貼着されている。左右１対の筒状部材４２には、棒部材１３がそれぞれ挿通され、棒部材１３の両端が筒状部材４２から突出する。
【００４３】
敷板４１は、乳幼児の荷重によって変形しないよう、十分な強度を有する硬質の芯材を含み、表面が相対的に軟質な材料で形成される。また敷板４１は、図７に示すようにプレイヤード短辺方向に延びる屈曲線４３が３本等間隔に形成される。敷板４１はこれら屈曲線４３で折れ変形可能であり、プレイヤードの折り畳み時には四角筒にされて、図７に示すように折り畳まれたフレーム構造体１１を包囲する。また四角筒にされた敷板４１は、折り畳まれたフレーム構造体１１と、１対の棒部材１３と、敷板４１の両側縁に連結される壁板５３，５４を束ねる。
【００４４】
敷板４１を展開して平坦に伸ばし敷板４１の下面に棒部材１３を取り付けた状態で、図１に示すように、硬質の棒部材１３の中央領域が３本の屈曲線４３と略直交に交差して敷板４１を支持する。
【００４５】
図１１は、敷板４１および壁板を取り出して示す分解斜視図である。敷板４１には、プレイヤード一端部において第１の壁板５１が延設され、プレイヤード他端部において第２の壁板５２が延設される。第１壁板５１および第２壁板５２も、敷板４１と同じ強度を有する硬質の芯材を含み、表面が相対的に軟質な材料で形成される。すなわち第１壁板５１、敷板４１、および第２壁板５２は１部材である。
【００４６】
敷板４１と第１壁板５１との境界線５５は屈曲線であって、図１１に示すように第１壁板５１は境界線５５で９０度折れ変形して水平な敷板４１から立ち上がる。敷板４１と第２壁板５２との境界線５５も屈曲線であって、第２壁板５２も敷板４１から立ち上がる。
【００４７】
図１１に示すように、敷板４１の両側縁には両端開口の筒状部材５６,５７が取付固定される。筒状部材５６,５７の一端開口部５８は第１壁板５１に取付固定され、筒状部材５６,５７の他端開口部５９は第２壁板５２に取付固定される。また筒状部材５６は敷板４１の一方側縁に沿って取付固定され、筒状部材５７は敷板４１の他方側縁に沿って取付固定される。
【００４８】
筒状部材５６,５７は布製であって、第１壁板５１を敷板４１上に倒すとともに第２壁板５２を敷板４１上に倒すことにより、敷板４１の上面に沿って折り畳まれる。また図１１に示すように第１壁板５１を敷板４１に対して９０度の角度で立ち上げるとともに第２壁板５２を敷板４１に対して９０度の角度で立ち上げることにより、布製の筒状部材５６,５７も立ち上がり、敷板４１の四方が壁板５１，５２および筒状部材５６,５７で包囲される。
【００４９】
図１１に矢で示すように、他端開口部５９から筒状部材５６に第３の壁板５３を挿入可能であり、他端開口部５９から筒状部材５７に第４の壁板５４を挿入可能である。筒状部材５６には第３壁板５３が挿入され、筒状部材５７には第４壁板５４が挿入されることにより、４枚の壁板５１〜５４が敷板４１から立ち上がって四方を包囲する。４枚の壁板５１〜５４の立ち上がり高さは、敷板４１の上面から１５ｃｍ以上ある。これにより、敷板４１に幼児用布団を敷き、幼児用布団の上に乳幼児を寝かせても、乳幼児の頭部が壁板５１〜５４と幼児用布団との間の隙間に挟まれる懸念が解消される。
【００５０】
敷板４１および壁板５１〜５４は箱状体６１を構成する。第１壁板５１は敷板４１の一方側縁から他方側縁まで広がり、第２壁板５２も敷板４１の一方側縁から他方側縁まで広がる。また第３壁板５３は敷板４１の一端部から他端部まで広がり、第４壁板５４も敷板４１の一端部から他端部まで広がる。したがって組み立てられた箱状体６１において、各壁板は隣り合う壁板と略隙間なく立ち上がる。
【００５１】
プレイヤード１０を組み立てる際には、敷板４１を展開し、真直ぐ延びる１対の棒部材１３を敷板下面の筒状部材４２にそれぞれ通し、一端開口部５８または他端開口部５９から壁板５３，５４を挿入して箱状体６１を形成する。またフレーム構造体１１を展開し、展開されたフレーム構造体１１の上方から箱状体６１を入れ込んで、棒部材１３の端部をフレーム構造体１１のブラケット３１またはブラケット３２に取り付ける。これによりプレイヤード１０は使用状態にされる。
【００５２】
敷板４１の上面は乳幼児が遊んだり寝たりする場所を提供する。本実施例では特に、保護者がブラケット３１またはブラケット３２を選択して棒部材を取り付けることが可能である。このようにして敷板４１の高さ位置を選択的に変化させることにより、プレイヤードおよびベビーベッドとして使用可能である。
【００５３】
図２に示すように、棒部材１３の端部を相対的に低いブラケット３１に係合させて敷板４１を相対的に低い第１位置にセットする。このように敷板４１をフレーム構造体１１の下部に取り付けることで、布状部材１２がフレーム構造体１１の上部まで直立し、乳幼児を遊ばせる枠囲い（プレイヤード）として好適に用いることができる。
【００５４】
図３に示すように、棒部材１３の端部を相対的に高いブラケット３２に係合させて敷板４１を相対的に高い第２位置にセットする。このように敷板４１をフレーム構造体１１の上下方向中間部に取り付けることで、敷板４１が上述したプレイヤードの場合よりもフレーム構造体１１の上部に近づき、乳幼児を寝かせる寝台（ベビーベッド）として好適に用いることができる。
【００５５】
プレイヤード１０を折り畳む際には、上述とは逆の手順でフレーム構造体１１から箱状体６１を取り出して分解し、フレーム構造体１１を折り畳む。なお他端開口部５９から壁板５３，５４を出し入れする他、図示はしなかったが、一端開口部５８から壁板５３，５４を出し入れするものであってもよい。
【００５６】
次に中央連結部材２０およびパイプ１５１，１５２を有するプレイヤード両側部の横材１５Ｌ，１５Ｒと、中央連結部材２０およびパイプ１６１，１６２を有するプレイヤード両端部の横材１６，１６につき詳細に説明する。なお、これらの横材１５Ｌ，１５Ｒ，１６はパイプの長さが異なるだけであり、中央連結部材２０における折れ変形の機構についてはすべて共通するため、代表して横材１６につき説明する。
【００５７】
図１２は横材の中央部を取り出して示す平面図であり、中央連結部材２０を断面にして表す。図１３は横材の中央部を取り出して示す正面図であり、紙面右側は一部断面で表される。図１４は、図１２のＸＩＶ−ＸＩＶにおける断面を示す説明図である。図１５は、図８のＸＶ−ＸＶにおける断面を示す説明図である。これら図１２〜図１５はすべて回動不能にロックされた状態を表す。図１６は中央連結部材を取り出して示す正面図である。
【００５８】
横材１６は、長手方向一方部材になるパイプ１６１と、長手方向他方部材になるパイプ１６２と、長手方向中央部にあってこれらパイプ１６１およびパイプ１６２と回動可能に連結する中央連結部材２０と、パイプ１６１と中央連結部材２０を相対回動不能にする一方ロック機構としての一方ロック部材２４１と、パイプ１６２と中央連結部材２０を相対回動不能にする他方ロック機構としての他方ロック部材２４２と、これら双方のロック機構を同時に解除して双方のロック解除を保持するロック動作機構としてのボタン２５を有する。
【００５９】
説明の便宜のため、中央連結部材２０からみてパイプ１６１を左方とし、パイプ１６２を右方として、以下、左右方向と称する。図１２および図１３に示すように、中央連結部材２０は左右方向中央を通過する中心線Ｃに関し左右対称に形成され、パイプ１６１およびパイプ１６２中心線Ｃに関し左右対称に配置される。
【００６０】
図１３に示すように、パイプ１６１の両端のうち、長手方向中央側の端部は連結軸２６１を介して中央連結部材２０の一方端と回動可能に連結する。またパイプ１６２の両端のうち、長手方向中央側の端部は連結軸２６２を介して中央連結部材２０の他方端と回動可能に連結する。中央連結部材２０は間隔を伴って対向する１対の壁部２０１，２０２を有する。これら壁部２０１，２０２には、連結軸２６１，２６２が架設される。なお図１３に示されないパイプ１６１，１６２の他方端部は、柱材１４の上端部ブロック１４Ｂと回動可能に連結する。中央連結部材２０は中間壁部２０３をさらに有し、中間壁部２０３は１対の壁部２０１，２０２の上端とそれぞれ結合する。図１４および図１５の断面図に示すように、壁部２０１〜２０３は断面視コ字状に配置される。
【００６１】
水平方向に延びるパイプ１６１は連結軸２６１よりも端部側で壁部２０３と当接することから、中央連結部材２０よりも下方への回動が規制される。これに対し、パイプ１６１は中央連結部材２０よりも上方への回動が許容される。しかしながらパイプ１６１は、連結軸２６１よりも端部側で一方ロック部材２４１と係合している間は上方への回動も規制され、これによりパイプ１６１は中央連結部材２０に対し相対回動不能にロックされる。
【００６２】
水平方向に延びるパイプ１６２も連結軸２６２よりも端部側で壁部２０３と当接することから、中央連結部材２０よりも下方への回動が規制される。これに対し、パイプ１６２は中央連結部材２０よりも上方への回動が許容される。しかしながらパイプ１６２は、連結軸２６２よりも端部側で他方ロック部材２４２と係合している間は上方への回動も規制され、これによりパイプ１６２は中央連結部材２０に対し相対回動不能にロックされる。
【００６３】
図１３に示すように、中央連結部材２０は互いに平行に延びる連結軸２６１，２６２からみて下方へ張り出しており、これらの連結軸２６１，２６２を含む仮想平面よりも下方にロック部材２４１，２４２が取り付けられる。
【００６４】
ここで付言すると、互いに平行に延びる連結軸２６１，２６２は中央連結部材２０の中央を通過する仮想の中心面に関して左右対称形状かつ左右対称配置となる。かかる中心面は図１２、図１３、図１６、および後述の図１７、図１８において中心線Ｃで表される。
【００６５】
４本の横材１５Ｌ，１６，１５Ｒ，１６によって四方を包囲される乳幼児収容領域をプレイヤード内側とし、乳幼児収容領域の外をプレイヤード外側として、壁部２０２はプレイヤード内側に配置され、壁部２０１はプレイヤード外側に配置される。
【００６６】
壁部２０１の内外両面のうち壁部２０２から遠い側の外側面には、センターロックカバー３０が取付固定される。図１３に示すようにセンターロックカバー３０は正面視で楕円形状であり、図１２、図１４、図１５に示すように外縁から中央にむかって外側へ膨らんだ立体的形状である。センターロックカバー３０の中央にはセンター孔３０ｈが形成される。センター孔３０ｈは壁部２０１の垂直方向に延び、ボタン２５を収容する。プレイヤード１０の使用状態でボタン２５は通常、図１２、図１４、図１５に示すように壁部２０１から離れた原位置にされている。ボタン２５には壁部２０２に向かって突出する脚部２５１，２５２が設けられる。図１２に示すように、脚部２５１，２５２は左右方向中央を通過する中心線Ｃに関し左右対称に配置されて、脚部２５１，２５２先端が、壁部２０１に穿設された１対の貫通孔２０ｃをそれぞれ貫通する。
【００６７】
図１２および図１３に示すように左右方向中央を通過する中心線Ｃを境界にして、一方ロック機構に含まれる一方ロック部材２４１は左側に配置され、他方ロック機構に含まれる他方ロック部材２４２は右側に配置され、両者２４１，２４２の形状は中央連結部材２０の中央を通過する仮想の中心面に関して左右対称形状かつ左右対称配置となる。そこで説明の重複を避けるため、以下、主に他方ロック部材２４２につき説明する。
【００６８】
図１３に示すように、他方ロック部材２４２は、１対の壁部２０１，２０２の間に介在する。そして、左右方向中央の中心線Ｃ上に合わせて円形断面の貫通孔２４４が形成される。貫通孔２４４は、同様に形成された一方ロック部材２４２の貫通孔２４３と整列し、これら貫通孔２４３，２４４を、共通する１本の連結ピン２７が貫通する。
【００６９】
図１３に示すように、壁部２０１，２０２には左右方向中央の中心線Ｃ上に１対の長孔２０ａが穿設される。図１３に示す正面視において１対の長孔２０ａは同一形状、同一寸法、同一位置にあり、上下方向に延び、連結ピン２７の両端とそれぞれ係合する。これにより連結ピン２７は長孔２０ａに案内されて上下方向に移動可能である。なお長孔２０ａは連結ピン２７の延在方向と直角方向に延びることから、連結ピン２７は中心線Ｃに沿ってピン延在方向と直角に移動する。
【００７０】
他方ロック部材２４２のうち中心線Ｃから最も遠い下端部には、断面円形の他方支持ピン２４６の中央領域が固定される。そして他方支持ピン２４６の両端が壁部２０１，２０２に向かってそれぞれ突出し、中心線Ｃよりも右側で壁部２０１，２０２にそれぞれ穿設されて左右方向に延びる１対の長孔２０ｂと係合する。図１３に示す正面視において１対の長孔２０ｂは同一形状、同一寸法、同一位置にあるため、他方支持ピン２４６は右側の長孔２０ｂに案内されて左右方向に移動可能である。同様に壁部２０１，２０２のうち中心線Ｃよりも左側にも１対の長孔２０ｂが穿設される。また他方支持ピン２４６と同様に、一方ロック部材２４１に一方支持ピン２４５が固定され、一方支持ピン２４５は中心線Ｃよりも左側の長孔２０ｂに案内されて左右方向に移動可能である。
【００７１】
図１６に示すように、壁部２０１，２０２には中心線Ｃに沿って一対の長孔２０ａが穿設され、中心線Ｃに関し左右対称に二対の長孔２０ｂが穿設される。また壁部２０１には中心線Ｃに関し左右対称に配置された一対の貫通孔２０ｃが穿設される。この他に、壁部２０１，２０２には連結軸２６１が挿通固定される１対の貫通孔２６１ｈと、連結軸２６２が挿通固定される１対の貫通孔２６２ｈが穿設される。貫通孔２６１ｈと貫通孔２６２ｈは中心線Ｃに関し左右対称に配置される。
【００７２】
他方ロック部材２４２のうち他方支持ピン２４６および連結ピン２７の双方から離れた位置には傾斜面２８２が形成される。傾斜面２８２は他方ロック部材２４２の上端部に配置されて連結ピン２７および他方支持ピン２４６の延在方向に対し傾斜し、図１４に示すように壁部２０１寄りに指向する。傾斜面２８２の傾斜は、最も壁部２０１寄りの部位で最も下側にあり、壁部２０２に近づくにつれて徐々に上方に向かう。
【００７３】
傾斜面２８２は他方ロック部材２４２のうち壁部２０１寄りに形成される。これに対し他方ロック部材２４２のうち壁部２０２寄りには、連結ピン２７および他方支持ピン２４６の軸線と平行な面２８４が形成される。平行面２８４および傾斜面２８２は連結ピン２７および他方支持ピン２４６の軸線方向に連続して形成される。
【００７４】
また傾斜面２８２は、ボタン２５から突出して壁部２０２に向かって延びる脚部２５２の先端と近接する。脚部２５２の先端の下端側には、傾斜面２８２と対応するよう切り欠いて形成された脚部傾斜面２５２ｃが形成される。同様に一方ロック部材２４１には傾斜面２８１および平行面２８３が形成され、傾斜面２８１は脚部２５１の先端に形成された脚部傾斜面２５１ｃと近接する。
【００７５】
他方ロック部材２４２のうち他方支持ピン２４６および連結ピン２７の双方から最も離れた位置には上向きに突出する係合突起２９２が形成される。係合突起２９２は他方ロック部材２４２の上縁のうち中心線Ｃから最も離れた位置、つまりパイプ１６２の近傍にある。そして図１５に示すように係合突起２９２の先端がパイプ１６２の外周面と対応する円弧状の凹曲面にされる。したがって係合突起２９２の先端形状は壁部２０１寄りの部位および壁部２０２寄りの部位が壁部２０１，２０２の中間の部位よりも上向きに突出する。
【００７６】
他方ロック部材２４２のロック位置で、連結ピン２７は長孔２０ａ上端にされ、他方支持ピン２４６は長孔２０ｂのうち中心線Ｃに近い方の端にされて、他方ロック部材２４２の係合突起２９２は、下方からパイプ１６２の外周面を係合支持する。これによりパイプ１６２は連結軸２６２回りの回動を不能にされる。
【００７７】
同様に一方ロック部材２４１の係合突起２９１は、下方からパイプ１６１の外周面を支持するように係合する。これによりパイプ１６１は連結軸２６１回りの相対回動を不能にされる。また図１３に示す他方ロック部材２４２のロック位置で、連結ピン２７は長孔２０ａの上端に位置し、他方支持ピン２４６は長孔２０ｂのうち中心線Ｃに最も近い端に位置する。そして脚部２５２は壁部２０２から最も離れた位置にある。また図１２および図１４に示す一方ロック部材２４１および他方ロック部材２４２のロック位置で、２個のロック部材２４１，２４２を同時に動作させる操作子であるボタン２５は、壁部２０１から最も離れた位置にされる。そして脚部傾斜面２５２ｃは傾斜面２８２のうち最も壁部２０１寄りの部位と接触する。
【００７８】
これまで説明したように、一方ロック部材２４１および他方ロック部材２４２は、中央連結部材２０にそれぞれ支持されて、図１２〜図１５に示すようにパイプ１６１，１６２の回動を不能にするロック位置にされる。また一方ロック部材２４１および他方ロック部材２４２は、図１７〜図１９に示すようにパイプ１６１，１６２の回動を許容するフリー位置に選択的にされる。
【００７９】
図１７はロック解除された横材の中央部を取り出して示す平面図であり、中央連結部材２０を断面にして表す。図１８はロック解除された横材の中央部を取り出して示す正面図であり、紙面右側は一部断面で表される。図１９は図１７のＸＩＸ−ＸＩＸにおける断面を示す説明図である。
【００８０】
ボタン２５が前述した図１２、図１４、および図１５に示すように壁部２０１から離隔した原位置にあるとき、脚部２５１の先端は傾斜面２８１の最も壁部２０１寄りの部位と接触するとともに、脚部２５２の先端は傾斜面２８２の最も壁部２０１寄りの部位と接触する。
【００８１】
２個のロック部材２４１，２４２を同時に動作させる共通の操作子であるボタン２５はセンター孔３０ｈ内を摺動可能であり、壁部２０１の垂直方向に移動することができる。ボタン２５を押し込むと、ボタン２５は壁部２０１に当接するまで前進し、１対の脚部２５１，２５２を介して一方ロック部材２４１および他方ロック部材２４２を同時にロック位置からフリー位置にする。図１７〜図１９はこれらロック部材２４１，２４２のフリー位置を示す。一方ロック部材２４１はフリー位置で中央連結部材２０に対するパイプ１６１の回動を許容する。他方ロック部材２４２もフリー位置で中央連結部材２０に対するパイプ１６２の回動を許容する。
【００８２】
具体的には、ボタン２５が押し込み操作されて壁部２０１に向かって前進すると、脚部２５１，２５２がピン２４５，２４６，２７の軸線方向に前進して傾斜面２８１，２８２をそれぞれ同時に押し込む。そうすると押し込み力を受けてロック部材２４１，２４２は下方へ移動する。このとき連結ピン２７は長孔２０ａに沿って下方へ移動し、支持ピン２４５，２４６は長孔２０ｂに沿って中央線Ｃから離れる方向へ移動する。これによりロック部材２４１，２４２は移動して姿勢を変える。
【００８３】
ボタン２５が壁部２０１に隣接する操作位置まで前進すると、脚部２５１，２５２は傾斜面２８１，２８２をそれぞれ下方へ押し退け、脚部２５１，２５２の先端が壁部２０２に達する。これによりロック部材２４２は図１７〜図１９に示すフリー位置にされ、ロック部材２４１も中心線Ｃに関して左右対称な姿勢でフリー位置にされる。かくしてボタン２５は、原位置から操作位置に操作されることにより一方ロック部材２４１および他方ロック部材２４２をロック位置からフリー位置に動作させる。
【００８４】
他方ロック部材２４２のフリー位置で、連結ピン２７は長孔２０ａ下端にされ、他方支持ピン２４６は長孔２０ｂのうち中心線Ｃから遠い方の端にされて、係合突起２９２がパイプ１６２から離れて中心線Ｃに近づくように引き込まれる。これによりパイプ１６２は連結軸２６２回りに回動自在にされる。
【００８５】
同様に一方ロック部材２４１の係合突起２９１は、パイプ１６１から離れて中心線Ｃに近づくように引き込まれる。これによりパイプ１６１は連結軸２６１回りに回動自在にされる。
【００８６】
図１９に示すように、他方ロック部材２４２のフリー位置で、脚部２５２は傾斜面２８２と接触しない。そして脚部２５２は平行面２８４と平行に延び、平行面２８４における壁部２０１側から壁部２０２側まで連続して接触する。したがって、他方ロック部材２４２が何らかの力を受けて脚部２５２を上方へ押す場合であっても、脚部２５２は他方ロック部材２４２によって動かされることはなく、他方ロック部材２４２のフリー位置を保持する。同様に脚部２５１は一方ロック部材２４１のフリー位置を保持する。これによりボタン２５はロック解除を保持する。
【００８７】
なお、ロック動作機構は操作子であるボタン２５を原位置に復帰させるリターンスプリングをさらに含んでもよい。かかるリターンスプリングは壁部２０１とボタン２５との間に介挿されて、ボタン２５を壁部２０１から離れるよう付勢する。
【００８８】
ところで本実施例のプレイヤード１０は、乳幼児収容空間の外周に間隔をおいて配置されて上下方向に延びる複数の柱材１４、および隣り合う柱材１４，１４に架設されて水平方向に延びる複数の横材１５Ｌ，１５Ｒ，１６を有し、横材１５Ｌ，１５Ｒ，１６が中程で折れ変形することにより折り畳み可能なフレーム構造体１１と、中程で折れ変形可能な横材１５Ｌの両端部を、隣り合う柱材１４，１４に、図５に示す上側位置および図６に示す下側位置に変位可能に連結する１対の連結部材としてのスライド部材１８と、中程で折れ変形可能な横材１５Ｌの端部を上側位置に保持する留め具１９とを備える。これにより横材１５Ｌの高さ位置が変更可能であり、１対のスライド部材１８を下方へ移動させておけば横材１５Ｌの高さ位置を下げておくことが可能になる。したがって保護者は、高さ位置が下げられた横材１５Ｌを越えて乳幼児をプレイヤードに容易に出し入れしたり、プレイヤード内の乳幼児と同じ目線から手を差し出したりすることができる。
【００８９】
また本実施例によれば、乳幼児収容空間は、平面視において長方形を構成し、スライド部材１８は、平面視において長方形の長辺になる横材１５Ｌの両端に配置された２本の柱材１４，１４にそれぞれ設けられる。これにより保護者は前枠と称する長方形の長辺の横材１５Ｌを越えて乳幼児を出し入れすることができる。
【００９０】
また本実施例によれば、横材１５Ｌと柱材１４を連結する連結部材としてのスライド部材１８は、柱材１４が挿通される貫通孔７２が形成され柱材１４に沿って摺動する。そして、留め具１９はスライド部材１８に設けられて、オン状態で貫通孔７２に挿通される柱材１４に対するスライド部材の摺動を規制し、オフ状態で貫通孔に挿通される柱材に対するスライド部材の摺動を許容する。これにより所望の高さ位置で摺動部材を柱材に確りと固定することが可能となる。
【００９１】
また本実施例のプレイヤード１０は、フレーム構造体１１の下部または上下方向中間部に選択可能に取り付けられて乳幼児収容空間の底面を構成する敷板４１をさらに備え、スライド部材１９は、フレーム構造体１１の上部または上下方向中間部に選択可能に固定される。これにより敷板４１をフレーム構造体１１の上下方向中間部に取り付け、敷板４１の上に乳幼児を寝かせることにより、プレイヤード１０を乳幼児を寝かせる寝台としても利用することができ、機能が向上する。そして、スライド部材１８をフレーム構造体１１の上下方向中間部まで押し下げることにより、保護者は容易に就寝中の乳幼児の世話をすることが可能になる。
【００９２】
また本実施例によれば、両端部が１対のスライド部材１８と連結する横材１５Ｌは、一方端部が一方のスライド部材１８と回動可能に連結するパイプ１５１と、一方端部が他方のスライド部材１８と回動可能に連結するパイプ１５２と、パイプ１５１の他方端部およびパイプ１５２の他方端部と回動可能に連結する中央連結部材２０と、パイプ１５１と中央連結部材２０を回動不能にする一方ロック部材２４１と、パイプ１５２と中央連結部材２０を回動不能にする他方ロック部材２４２と、これら双方のロック部材２４１，２４２を同時に解除して双方のロック解除を保持するボタン２５を有する。これによりプレイヤード１０の折り畳み操作を容易に行うことができる。
【００９３】
また本実施例によれば、横材１６が長手方向一方に延びるパイプ１６１と、長手方向他方に延びるパイプ１６２と、長手方向中央部にあってこれらパイプ１６１およびパイプ１６２と回動可能に連結する中央連結部材２０と、パイプ１６１と中央連結部材２０を回動不能にする一方ロック機構としての一方ロック部材２４１と、パイプ１６２と中央連結部材２０を回動不能にする他方ロック機構としての他方ロック部材２４２と、これら双方のロック機構を同時に解除して双方のロック解除を保持するロック動作機構としてのボタン２５を有する。また横材１５Ｌ，１５Ｒも同様に構成される。
【００９４】
これにより、プレイヤード１０を折り畳む際に乳幼児の保護者がロック動作機構を操作すると、一方ロック機構も他方ロック機構も確実にロック解除される。この結果、プレイヤードの折り畳み作業中に、一方のパイプ１６１が回動自在にされるが他方のパイプ１６２が回動不能のままであり、折り畳み作業が煩雑になるという不都合が解消される。したがって保護者はプレイヤード１０の折り畳み操作を容易に行うことができる。
【００９５】
また本実施例によれば、ロック動作機構として、一方ロック部材２４１および他方ロック部材２４２を同時にロック位置からフリー位置にする共通の操作子としてのボタン２５を含むことから、簡易なボタン操作によって、２個のロック部材２４１，２４２は確実にロック解除される。したがってロック動作機構を好適に実現することができる。
【００９６】
また操作子としてのボタン２５が原位置から操作位置に操作されることにより一方ロック部材２４１および他方ロック部材２４２をロック位置からフリー位置に動作させる本実施例によれば、ロック動作機構はボタン２５を原位置に復帰させるリターンスプリングをさらに含んでもよい。この結果、ボタン２５を押し込まない限り、ロック部材２４１，２４２がロック位置にされる、したがって、パイプ１６１，１６２のロックが不用意に解除されることがない。
【００９７】
また本実施例によれば、一方ロック部材２４１および他方ロック部材２４２は、貫通孔２４３，２４４がそれぞれ形成され、これらの貫通孔２４３，２４４を共通する１本の連結ピン２７が貫通し、中央連結部材２０は連結ピン２７の両端と係合する中央案内部として長孔２０ａが形成され、連結ピン２７は長孔２０ａに沿って移動する。これにより、一方ロック部材２４１および他方ロック部材２４２がピン２７で連結されて連動することができる。したがってロック動作機構として、双方のロック機構を同時に解除する構造を好適に実現することが可能になる。
【００９８】
また本実施例によれば、一方ロック部材２４１は中央連結部材２０の左方に配置され、他方ロック部材２４２は中央連結部材２０の右方に配置され、中央連結部材２０の中央を通過する仮想の中心面（中心線Ｃ）に関してこれら一方ロック部材２４１および他方ロック部材２４２は対称形状かつ対称配置され、連結ピン２７は中心線Ｃに沿ってピン延在方向と直角に上下移動する。これにより、双方のロック部材２４１，２４２が中心線Ｃに関して対称に挙動し、双方のロック部材２４１，２４２を同時に解除する構造を好適に実現することが可能になる。
【００９９】
また本実施例によれば、一方ロック部材２４１は連結ピン２７と平行に延びる一方支持ピン２４５および一方支持ピン２４５の延在方向に対して傾斜する傾斜面２８１が設けられる。同様に他方ロック部材２４２は連結ピン２７と平行に延びる他方支持ピン２４６および他方支持ピンの延在方向に対して傾斜する傾斜面２８２が設けられる。中央連結部材２０は中心面（中心線Ｃ）に関し左方および右方に対称配置される対称形状の左方案内部および右方案内部になる長孔２０ｂが形成される。左方の長孔２０ｂは一方支持ピン２４５の両端と係合して、一方支持ピン２４５をピン延在方向と直角に案内し、右方の長孔２０ｂは他方支持ピン２４６の両端と係合して、他方支持ピン２４６をピン延在方向と直角に案内する。ボタン２５は傾斜面２８１，２８２にそれぞれ当接する１対の脚部２５１，２５２を有し、ボタン２５が操作されることにより、脚部２５１，２５２が支持ピン２４５，２４６の延在方向に前進して傾斜面２８１，２８２を同時に押し込み一方ロック部材２４１および他方ロック部材２４２を動かす。
【０１００】
これにより、双方のロック部材２４１，２４２が中心面（中心線Ｃ）に関して対称に挙動することから、双方のロック機構を同時に解除する構造を好適に実現することが可能になる。しかもボタンの脚部が支持ピン２４５，２４６の延在方向に前進して一方ロック部材の傾斜面２８１および他方ロック部材の傾斜面２８２を同時に押し込む。したがって、ボタン２５のピン延在方向の前進をロック部材２４１，２４２のピン直角方向の動きに変換することが可能となることから、ボタン２５の操作によって確実にロックを解除することができる。
【０１０１】
また本実施例によれば、一方ロック部材２４１および他方ロック部材２４２は、傾斜面２８１，２８２に隣接して連結ピン２７と平行な面２８３，２８４がそれぞれ設けられ、傾斜面２８１，２８２を押し込んだ脚部２５１，２５２は、さらに前進しこれらの平行面２８３，２８４と平行に延びて接触する。これにより、ロック部材２４１，２４２が何らかの力を受けて脚部２５１，２５２を上方へ押す場合であっても、脚部２５１，２５２はロック部材２４１，２４２によって動かされることはなく、ロック部材２４１，２４２のフリー位置を保持することができる。
【０１０２】
また本実施例によれば、フレーム構造体１１は、平面視において矩形を構成し、柱材１４は、この矩形の角部にそれぞれ配置され、横材１５Ｌ，１５Ｒは、平面視においてフレーム構造体１１の輪郭をなし、互いに平行となるよう配置される。同様に２本の横材１６も互いに平行となるよう配置される。これにより、折り畳みの際には横材１５Ｌ，１５Ｒを効率よく折れ変形させることができる。あるいは２本の横材１６を効率よく折れ変形させることができる。
【０１０３】
つまり、矩形のフレーム構造体１１において短辺の横材１６，１６は互いに平行となるよう配置されることから、短辺同士を折れ変形させることができ、フレーム構造体１１を短辺方向に縮小させることができる。あるいは長辺の横材１５Ｌ，１５Ｒは互いに平行となるよう配置されることから、長辺同士を折れ変形させることができ、フレーム構造体を長辺方向に縮小させることができる。あるいは短辺および長辺のすべてを折れ変形させることができ、フレーム構造体１１を短辺方向および長辺方向に縮小させることができる。
【０１０４】
また本実施例によれば、プレイヤード１０が、一端側および他端側がそれぞれフレーム構造体１１に着脱可能に取り付けられ、中央領域が屈曲線４３と交差するよう敷板４１の下面に取り付けられて敷板４１を支持する硬質の棒部材１３を備えることから、乳幼児の荷重により屈曲線４３で敷板４１が折れ変形することがなく、さらに乳幼児が敷板４１の上で活発に活動しても敷板４１が折れ変形することがなく、乳幼児を安定して支持することができる。また、４本の柱材１４のみが敷板４１を支持することから、従来のプレイヤードのように敷板から下方に延びて設置床面に接地する短脚をさらに設ける必要がない。したがって、敷板４１と設置床面Ｓとの間の隙間空間をすっきりさせることができる。
【０１０５】
また本実施例によれば、フレーム構造体１１は、乳幼児収容空間の周囲に沿って間隔をおいて配置される複数の柱材１４と、隣り合う柱材同士を互いに連結する複数の横材１５Ｌ，１５Ｒ，１６とを含み、少なくとも横材１５Ｌ，１５Ｒが、中程で折れ変形可能であり、棒部材１３は直線棒状体とされ、平面視において、中程で折れ変形可能な横材１５Ｌ，１５Ｒと平行に配置される。これにより、棒部材を直線状の丸パイプ、角パイプ、あるいはアングル部材といった棒状体にすることが可能となり、曲げ強度を大きくすることができる。したがって折れ変形可能なプレイヤードにおいて、簡易な構成によりフレーム構造体の剛性を向上させることができる。
【０１０６】
また本実施例によれば、乳幼児収容空間は平面視において矩形であり、柱材１４は矩形の４隅に配置され、横材１５Ｌ，１５Ｒ，１６は矩形の４辺を構成し、これら横材のうち平行に延びる２辺１対の横材１５Ｌ，１５Ｒが中程で折れ変形可能であり、棒部材１３は２本１対とされ、その両端部が、中程で折れ変形可能な横材１５Ｌ，１５Ｒの両端に配置された２本の柱材１４にそれぞれ取り付けられ、敷板４１は乳幼児収容空間の矩形の４辺に対応する第１辺〜第４辺を輪郭線とし、これらのうち第１辺および第２辺は互いに平行に延び、これらのうち第３辺および第４辺は第１辺および第２辺と直交して延び棒部材１３にそれぞれ支持され、屈曲線４３は第１辺および第２辺と平行に延びる。これにより矩形のプレイヤード１０において乳幼児を安定して支持することができる。
【０１０７】
また本実施例によれば、敷板４１はその下面に固定されて棒部材１３が挿通される布または柔らかいシート製の筒状部材４２を有する。これにより乳幼児が敷板４１上で活発に動いても敷板４１が前後左右に揺れ動くことがなく、乳幼児を安定して支持することができる。
【０１０８】
また本実施例によれば、柱材１４は、相対的に低い第１の位置に、棒部材１３の端部が取り付けられて該棒部材を相対的に低い位置で水平に支持する第１のブラケット３１を有し、相対的に高い第２の位置に、棒部材１３の端部が取り付けられて該棒部材を相対的に高い位置で水平に支持する第２のブラケット３２を有することから、棒部材１３および敷板４１は相対的に低い第１位置および相対的に高い第２位置に選択可能に取り付けられる。このように相対的に低いフレーム構造体の第１位置に取り付けることにより、敷板の高さをプレイヤードの下部にすることが可能となり、乳幼児がフレーム構造体を乗り越えてプレイヤードから出ることがない。したがってプレイヤードとして好適に使用することができる。また敷板および棒部材を、相対的に高いフレーム構造体の第２位置に取り付けることにより、敷板の高さをプレイヤードの中央部ないし上部にすることが可能となり、乳幼児が眠るベビーベッドとして好適に使用することができる。そして保護者は乳幼児まで容易に手をのばして世話することができる。かくして保護者は、本実施例のプレイヤード１０を、乳幼児が遊ぶプレイヤードとして、あるいは乳幼児が眠るベビーベッドとして、好適に兼用することができる。
【０１０９】
また本実施例によれば、敷板４１の上面から１５ｃｍ以上立ち上がって四方を包囲する壁板５１〜５４をさらに備える。これにより、敷板４１は、柔らかく変形自在な布状部材１２ではなく、硬質の壁板５１〜５４に囲繞される。したがって、敷板４１上に幼児用布団を敷き幼児用布団の上で乳幼児が睡眠中に、乳幼児の頭部が布状部材１２と幼児用布団との間に挟まれる懸念を解消することができる。
【０１１０】
また本実施例によれば、壁板は、敷板４１の第１辺に取り付けられる板片である第１壁板５１と、敷板４１の第２辺に取り付けられる板片である第２壁板５２と、敷板４１の第３辺に取り付けられる板片である第３壁板５３と、敷板４１の第４辺に取り付けられる板片である第４壁板５４とを含む。これら敷板４１および壁板５１〜５４によって構成される箱状体６１は立体構造であり、敷板のみの平板構造と比較して強度が大きいため、敷板４１の強度を従来のプレイヤードの敷板よりも大きくすることが可能となる。
【０１１１】
また本実施例によれば、第１壁板５１は敷板４１の第１辺を折れ変形可能な境界線５５として敷板４１と接続し、第２壁板５２は敷板４１の第２辺を折れ変形可能な境界線５５として敷板４１と接続する。このように敷板と壁板が連続することから、プレイヤード１０の折り畳み作業および組み立て作業を円滑に行うことができる。
【０１１２】
また本実施例によれば、敷板は、第３辺に固定されてこの辺と平行に延びる布または柔らかいシート製の筒状部材５６と、第４辺に固定されてこの辺と平行に延びる布または柔らかいシート製の筒状部材５７とを有し、第３壁板５３は第３辺の筒状部材５６に取り外し可能に挿通され、第４壁板５４は第４辺の筒状部材５７に取り外し可能に挿通される。これにより、筒状部材５６，５７は壁板５３，５４が挿通されない状態で屈曲線４３に追従して容易に折り畳まれる。したがって、敷板４１を容易に折り畳むことができる。またプレイヤード１０の使用状態で、壁板５３，５４が屈曲線４２と直交して敷板４１と連結されることから、敷板４１の曲げ変形を一層防止することができる。
【０１１３】
また本実施例によれば敷板４１は、第３辺に固定されてこの辺と平行に延びるとともに両端が第１壁板５１および第２壁板５２にそれぞれ固定される布または柔らかいシート製の筒状部材５６と、第４辺に固定されてこの辺と平行に延びるとともに両端が第１壁板５１および第２壁板５２にそれぞれ固定される布または柔らかいシート製の筒状部材５７を有する。したがって敷板４１および壁板５１〜５４が、上面を有しない５面の箱状体６１を構成することが可能となり、乳幼児を好適に支持して収容することができる。
【０１１４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【０１１５】
この発明になるプレイヤードは、育児用家具ないし育児用器具において有利に利用される。
【符号の説明】
【０１１６】
１０  プレイヤード、１１  フレーム構造体、１２  布状部材、１３  棒部材、１４  柱材、１５Ｌ  横材（前枠）、１５Ｒ，１６  横材、１７  クロスパイプ、１８  スライド部材、１９  留め具、２０  中央連結部材、２０ａ，２０ｂ  長孔、２０ｃ  貫通孔、２０１，２０２，２０３  壁部、２１  車輪、２２  車輪カバー、２３  中央連結部材、２４１  一方ロック部材、２４２  他方ロック部材、２４３，２４４  貫通孔、２４５  一方支持ピン、２４６  他方支持ピン、２５  ボタン、２４１，２５２  脚部、２６１，２６２  連結軸、２７  連結ピン、２８１，２８２  傾斜面、２８３，２８４  平行面、２９１，２９２  係合突起、３０  センターロックカバー、３１，３２  ブラケット、４１  敷板、４２  布製筒状部材、５１  第１壁板、５２  第２壁板、５３  第３壁板、５４  第４壁板、７１  連結軸、７２  貫通孔、Ｓ  プレイヤード設置床面。
【図１】
0005657367.tif 000002
【図２】
0005657367.tif 000003
【図３】
0005657367.tif 000004
【図４】
0005657367.tif 000005
【図５】
0005657367.tif 000006
【図６】
0005657367.tif 000007
【図７】
0005657367.tif 000008
【図８】
0005657367.tif 000009
【図９】
0005657367.tif 000010
【図１０】
0005657367.tif 000011
【図１１】
0005657367.tif 000012
【図１２】
0005657367.tif 000013
【図１３】
0005657367.tif 000014
【図１４】
0005657367.tif 000015
【図１５】
0005657367.tif 000016
【図１６】
0005657367.tif 000017
【図１７】
0005657367.tif 000018
【図１８】
0005657367.tif 000019
【図１９】
0005657367.tif 000020